(57)【特許請求の範囲】
【請求項１】
本体の底部に二次側コイルを配設すると共に、充電器の本体載置部下に一次側コイルを配設し、本体を充電器の本体載置部に載置すると、本体載置部下に配設した一次側コイルによって本体の底部に配設した二次側コイルが電磁誘導され、本体内の蓄電池が充電される非接触充電装置において、本体のハウジングが、二次側コイルを縦断する面で分割された複数のハウジング部品を組み合わせて構成され、複数のハウジング部品の内、１つのハウジング部品にはその外周壁に連続して底壁が形成され、該底壁の内面に二次側コイルが配設され、且つ該底壁の外面は充電の際、充電器の本体載置部との接触面となることを特徴とする非接触充電装置。
【請求項２】
円筒形の本体のハウジングが、その軸方向の中心線を含む平面で２分割されたハウジング部品を組み合わせて構成され、一方のハウジング部品にはその外周壁に連続して略円形の底壁が形成され、該底壁の内面に二次側コイルが配設され、且つ該底壁の外面は充電の際、充電器の本体載置部との接触面となることを特徴とする請求項１記載の非接触充電装置。
【請求項３】
前記底壁と他のハウジング部品との接続部を凹凸嵌合部で構成したことを特徴とする請求項１又は２に記載の非接触充電装置。
【請求項４】
前記接続部を円弧状の凹凸嵌合部で構成したことを特徴とする請求項１乃至３のいずれかに記載の非接触充電装置。
【請求項５】
前記底壁の外面の中央部に凹部を設けたことを特徴とする請求項１乃至４のいずれかに記載の非接触充電装置。
【請求項６】
前記底壁の内面を配設する二次側コイルの形状に合わせて凹凸面に形成したことを特徴とする請求項１乃至５のいずれかに記載の非接触充電装置。
【請求項７】
前記底壁の端部に他のハウジング部品を係止するフックを設けたことを特徴とする請求項１乃至６のいずれかに記載の非接触充電装置。
【発明の詳細な説明】
【０００１】
【発明の属する技術分野】
本発明は、非接触充電装置に関し、特に非接触充電装置を構成する本体側のハウジングに関するものである。
【０００２】
【従来の技術】
非接触充電装置においては、充電器内の一次側コイルと本体内の二次側コイルの距離が少なくとも一定である必要がある。即ち、一次側コイルと二次側コイルとの間に介在する充電器及び本体のハウジングの相互接触部の厚さが一定であることが、本体に安定した充電電流を供給する上で重要となる。例えば、前記厚さが場所によって異なっていたりすると、充電回路の充電電流が変化してしまい、本体動作に必要な充電量が得られなかったり、または充電電流が充電する毎に異なって、本体動作時間が都度変化してしまうといった事態が起きる。特に本体のハウジングを縦に２つ割りしたハウジング部品を合わせて本体のハウジングを構成する場合、ハウジングの底部で、接合したハウジング部品間に段差が生じることがあるため、この段差によって、一次側コイルと二次側コイル間の距離にバラツキが生じ、充電電流が変化しやすいという問題があった。
【０００３】
【発明が解決しようとする課題】
本発明は上記の点に鑑みて為されたものであり、本体のハウジングが縦に分割したハウジング部品を合わせてなるものにおいて、非接触充電を確実に行える非接触充電装置を提供することを目的としている。
【０００４】
【課題を解決するための手段】
本発明の請求項１に係る非接触充電装置は、本体１の底部２に二次側コイル６を配設すると共に、充電器３の本体載置部４下に一次側コイル５を配設し、本体１を充電器３の本体載置部４に載置すると、本体載置部４下に配設した一次側コイル５によって本体１の底部２に配設した二次側コイル６が電磁誘導され、本体１内の蓄電池７が充電される非接触充電装置において、本体１のハウジング８が、二次側コイル６を縦断する面で分割された複数のハウジング部品９を組み合わせて構成され、複数のハウジング部品９の内、１つのハウジング部品１０にはその外周壁１１に連続して底壁１２が形成され、該底壁１２の内面１２ａに二次側コイル６が配設され、且つ該底壁１２の外面１２ｂは充電の際、充電器３の本体載置部４との接触面１３となることを特徴とするものである。
【０００５】
また、本発明の請求項２に係る非接触充電装置は、請求項１の構成に加えて、円筒形の本体１のハウジング８が、その軸方向の中心線を含む平面で２分割されたハウジング部品９を組み合わせて構成され、一方のハウジング部品１０にはその外周壁１１に連続して略円形の底壁１２が形成され、該底壁１２の内面１２ａに二次側コイル６が配設され、且つ該底壁１２の外面１２ｂは充電の際、充電器３の本体載置部４との接触面１３となることを特徴とするものである。
【０００６】
また、本発明の請求項３に係る非接触充電装置は、請求項１又は２の構成に加えて、前記底壁１２と他のハウジング部品９との接続部１４を凹凸嵌合部１５で構成したことを特徴とするものである。
【０００７】
また、本発明の請求項４に係る非接触充電装置は、請求項１乃至３のいずれかの構成に加えて、前記接続部１４を円弧状の凹凸嵌合部１５で構成したことを特徴とするものである。
【０００８】
また、本発明の請求項５に係る非接触充電装置は、請求項１乃至４のいずれかの構成に加えて、前記底壁１２の外面１２ｂの中央部１２ｃに凹部１６を設けたことを特徴とするものである。
【０００９】
また、本発明の請求項６に係る非接触充電装置は、請求項１乃至５のいずれかの構成に加えて、前記底壁１２の内面１２ａを配設する二次側コイル６の形状に合わせて凹凸面１７に形成したことを特徴とするものである。
【００１０】
また、本発明の請求項７に係る非接触充電装置は、請求項１乃至６のいずれかの構成に加えて、前記底壁１２の端部１２ｄに他のハウジング部品９を係止するフック１８を設けたことを特徴とするものである。
【００１１】
【発明の実施の形態】
本発明の実施の形態を図１乃至図８に基づいて説明する。尚、以下に述べる本発明の実施の形態では、本発明の非接触充電装置を備えたヘアカッターをその一例として説明する。図１乃至図７はこのヘアカッターの一例を示すものである。このヘアカッターは本体１と、付属の充電器３から構成される。本体１の外殻は上底部８ａ及び下底部８ｂを有する円筒状のハウジング８と、ハウジング８の上底部８ａに接続される刃取り付け台２２から構成される。刃取り付け台２２の傾斜部２２ａを構成する刃ブロック５７には互いに摺接する櫛状の固定刃２０と可動刃２１からなる刃１９がその先端に装着される。そして、この刃ブロック５７は刃取り付け台２２の内部壁２２ａの上面にネジ５８にて取り付けられた刃ブロック固定バネ２３にて固定される。ハウジング８は、その軸方向の中心線を含む平面で、尚且つ刃１９の刃先に平行な平面で分割した２つのハウジング部品９，９を合わせることで形成される。このハウジング８の前半分及び後半分を構成するハウジング部品９，９の内、ハウジング８の前半分を構成するハウジング部品９（以下、これをハウジング部品１０とする）にはその外周壁１１に連続して略円形の底壁１２が形成されている（このハウジング部品１０の底壁１２の詳細は図６に示す）。
【００１２】
ところで、本体１は以下のようにして構成される。まず基台ブロック２６に図７に示すようにモーター２９、スイッチ基台３０、スイッチ金具３１、蓄電池２７、充電回路２８、二次側コイル６、充電表示ランプ５２を配設した後、この基台ブロック２６をハウジング部品１０に配設する。尚、モーター２９の配設時には予めモーター２９の出力軸２９ａを偏芯カム３３の下部穴３３ａに嵌入すると共に、軸４１を偏芯カム３３の上部穴３３ｃに嵌入しておき、偏芯カム３３の鍔部３３ｂをハウジング部品１０の上壁３４の溝３４ａに嵌め込む（図１）。続いてこのハウジング部品１０にハウジング部品９を合わせる。ここでハウジング部品１０の底壁１２とハウジング部品９の縁部５３との接続部１４には凹凸嵌合部１５が形成されており、両者を容易に接続できるようになっている。即ち、図６に示すようにハウジング部品１０の底壁１２の、前側半分１２ｅの半円部の後端部には左右一対の凸部５１が設けてあると共に、底壁１２の後側半分１２ｆの外周部には半円周状の凸部２４が設けてあり、他方、ハウジング部品９の縁部５３には前記凸部５１及び凸部２４が嵌合可能な半円周状の凹部２５が設けてあるため（図５）、これらを嵌合させることで、ハウジング部品１０に対するハウジング部品９の位置決めができると共に、ハウジング部品１０とハウジング部品９との接続を容易に行うことできる。尚、この時、偏芯カム３３の鍔部３３ｂはハウジング部品９の上壁３５に設けた溝３５ａに嵌った状態にある（図１）。また、ハウジング部品１０にハウジング部品９を合わせる際は、モータ２９及び蓄電池２７とハウジング部品９との間に各々クッション５０を入れておく。この後、ハウジング部品１０の穴３６と、基台ブロック２６の穴３７と、ハウジング部品９の穴３８にネジ３９を通して、ハウジング部品１０と、基台ブロック２６と、ハウジング部品９とを完全に固定すると共に、スライド式の電源用スイッチハンドル３２をハウジング１０の前面１０ａに設けた溝部５４に嵌め込み、電源用スイッチハンドル３２の係止片３２ａを基台ブロック２６に配したスイッチ基台３０の係止部３０ａに係止する。続いて刃取り付け台２２をハウジング８の上底部８ａに接続すると同時に、偏芯カム３３の上部穴３３ｃに嵌入した軸４１の上方を可動刃２１に取り付けた駆動子４０の下部穴４０ａに挿通させ、本体１の組み付けを完了する（図２）。
【００１３】
次に充電器３について説明する。充電器３は図３に示すように柱状の本体支持部４６と台座状の本体載置部４からなり、充電器ケース４３でその外殻が形成され、充電器ケース４３の下部からは電源コード５６が導出されている。本体支持部４６の上端には本体ガイド４２が装着され、２つのガイド片４２ａで円筒状の本体１を挟持し、本体１の底壁１２が本体載置部４の正規位置に置かれるようにガイドすると共に、本体１の底壁１２が充電中に振動等で本体載置部４の正規位置からズレたり、本体１が転倒するのを防止する。尚、本体載置部４には本体１の底壁１２を載置する正規位置を示す凸部４ｂが本体載置部４の載置壁４ａの上面に設けてある。充電器ケース４３の下部は開口しており、内部に充電器回路４４及び一次側コイル５を配設した後、底蓋４５にて閉塞される。尚、充電器回路４４内の一次側コイル５は、本体載置部４に設けた正規位置を示す凸部４ｂの中心の直下にそのコイル中心が位置するように配設される。また、この一次側コイル５は、巻線４９をコイルボビン４８に巻き付けることによって構成されるもので、充電器回路４４と接続され、コイルボビン４８の上面が本体載置部４の載置壁４ａの下面に密着するように設けてある（図１）。また、充電器３の底蓋４５の側部にはカットする髪の刈り高さを揃えるアタッチメント５５を置くためのポケット４７が設けてある。
【００１４】
次に本発明の要部であるハウジング部品１０の外周壁１１に連続して形成される略円形の底壁１２について説明する。既述のようにハウジング部品１０の底壁１２の、前側半分１２ｅの半円部の後端部には左右一対の凸部５１が設けてあると共に、底壁１２の後側半分１２ｆの外周部には半円周状の凸部２４が設けてあり、他方、ハウジング部品９の縁部５３には前記凸部５１及び凸部２４が嵌合可能な半円周状の凹部２５が設けてある。このようにハウジング部品１０の底壁１２とハウジング部品９の縁部５３との接続部１４を凹凸嵌合部１５で構成することで、ハウジング部品１０の底壁１２とハウジング部品９との接続を容易に行うことできる。また、上記凹凸嵌合部１５を円弧状に形成することで、ハウジング部品１０の底壁１２が強い力を受けても底壁１２とハウジング部品９の接続部１４の強度を確保することができる。また、図５に示すように巻線４９をコイルボビン４８に巻き付けることによって構成される二次側コイル６は、コイル中心が本体１の中心軸上に位置するように充電回路２８の直下に配設される。そして、ハウジング部品１０の底壁１２の内面１２ａは配設する二次側コイル６、即ち、コイルボビン４８の形状に合わせて凹凸面１７に形成されており、コイルボビン４８の下面が底壁１２の内面１２ａに密着するようにしている。これにより、底壁１２に二次側コイル６を配設する際、二次側コイル６の位置決めを確実に行うことができる。また、底壁１２の外面１２ｂの中央部１２ｃには凹部１６が設けてあるが、これは、本体１を充電器３の本体載置部４に置いた際、充電器３の本体載置部４上に小さな異物があっても、一次側コイル５と二次側コイル６間の距離が一定に保たれるようにするためである。尚、図８に示すように底壁１２の端部１２ｄにハウジング部品９を係止するフック１８を設けると、ハウジング部品９が底壁１２に対して開くのを防止できるので尚良い。
【００１５】
次に本体１を充電する際の動作説明をする。まず充電器３の電源コード５６をコンセントに接続した後、本体１を垂直に立てた状態で、充電器３の本体ガイド４２に挿入し、本体１の中心軸が充電器３の本体載置部４の正規位置にくるようにゆっくりと本体載置部４上に載置する。これと同時に本体載置部４下に配設した一次側コイル５によって本体１の底壁１２の内面１２ａに配設した二次側コイル６が電磁誘導され、本体１内の蓄電池７が充電される。尚、本体１の中心軸が充電器３の本体載置部４の正規位置にある場合、一次側コイル５と二次側コイル６のコイル中心は同一直線（図１のＸ−Ｘ線）上にあるため、効率の良い充電が行われ、一方、本体１の中心軸が充電器３の本体載置部４の正規位置よりズレると、一次側コイル５と二次側コイル６のコイル中心がズレるため、ズレ分に比例して充電効率は低下する。また、充電器３の一次側コイル５と本体１の二次側コイル間の距離Ｔは一定であることが、本体１に安定した充電電流を供給する上で重要となる。例えば、距離Ｔが場所によって異なっていたりすると、充電回路２８の充電電流が変化してしまい、本体動作に必要な充電量が得られなかったり、または充電電流が充電する毎に異なって、本体動作時間が都度変化してしまうといった事態が起きるが、本例のようにハウジング部品１０の外周壁１１に連続して略円形の底壁１２を形成し、底壁１２の内面１２ａに二次側コイル６を配設し、且つ底壁１２の外面１２ｂが充電の際、充電器３の本体載置部４との接触面１３となるようにすることで、従来の縦に２つ割りしたハウジング部品を合わせて本体のハウジングを構成したもののようにハウジングの底部で接合したハウジング部品間に段差が生じるような心配がなく、一次側コイル５と二次側コイル６間の距離Ｔを確実に一定に保つことができるので、本体１に安定した充電電流を供給することができる。
【００１６】
【発明の効果】
本発明の請求項１記載の発明にあっては、従来の縦に２つ割りしたハウジング部品を合わせて本体のハウジングを構成したもののようにハウジングの底部で接合したハウジング部品間に段差が生じるような心配がなく、一次側コイルと二次側コイル間の距離を確実に一定に保つことができるので、本体に安定した充電電流を供給することができる。
【００１７】
また、本発明の請求項２記載の発明にあっては、請求項１記載の発明の効果に加えて、前記効果を奏する構成を容易に実現できる。
【００１８】
また、本発明の請求項３記載の発明にあっては、請求項１又は２に記載の発明の効果に加えて、底壁と他のハウジング部品との接続が容易に行える。
【００１９】
また、本発明の請求項４記載の発明にあっては、請求項１乃至３のいずれかに記載の発明の効果に加えて、底壁が強い力を受けても底壁と他のハウジング部品の接続部の強度を確保することができる。
【００２０】
また、本発明の請求項５記載の発明にあっては、請求項１乃至４のいずれかに記載の発明の効果に加えて、本体を充電器の本体載置部に置く際、充電器の本体載置部上に小さな異物があっても、一次側コイルと二次側コイル間の距離が一定に保たれる。
【００２１】
また、本発明の請求項６記載の発明にあっては、請求項１乃至５のいずれかに記載の発明の効果に加えて、底壁に二次側コイルを配設する際、二次側コイルの位置決めを確実に行うことができる。
【００２２】
また、本発明の請求項７記載の発明にあっては、請求項１乃至６のいずれかに記載の発明の効果に加えて、他のハウジング部品が底壁に対して開くのを防止することができる。
【図面の簡単な説明】
【図１】本発明の実施の形態の一例を示し、充電時のヘアカッターと充電器の縦断面図である。
【図２】同上の（ａ）はヘアーカッターの背面図、（ｂ）はヘアーカッターの側面図、（ｃ）はヘアーカッターの正面図、（ｄ）はヘアカッターの下面図である。
【図３】同上の充電器の正面図である。
【図４】同上の充電時のヘアーカッターと充電器の正面図である。
【図５】同上のヘアーカッターの二次側コイル配設部分の縦断面図である。
【図６】同上の（ａ）はヘアカッターのハウジングを構成する一方のハウジング部品の底壁の下面図、（ｂ）は（ａ）のＡ−Ａ線断面図、（ｃ）は（ｂ）のＢ矢視図である。
【図７】同上のヘアカッターの分解斜視図である。
【図８】本発明の実施の形態の他の例を示し、（ａ）はヘアーカッターの二次側コイル配設部分の縦断面図、（ｂ）はヘアカッターのハウジングを構成する一方のハウジング部品の底壁の下面図、（ｃ）はヘアカッターのハウジングを構成する他方のハウジング部品の縁部の下面図である。
【符号の説明】
１  本体
２  底部
３  充電器
４  本体載置部
５  一次側コイル
６  二次側コイル
７  蓄電池
８  ハウジング
９  ハウジング部品
１０  ハウジング部品
１１  外周壁
１２  底壁
１２ａ  内面
１２ｂ  外面
１２ｃ  中央部
１２ｄ  端部
１３  接触面
１４  接続部
１５  凹凸嵌合部
１６  凹部
１７  凹凸面
１８  フック
【図１】
0003669211.tif 000002
【図２】
0003669211.tif 000003
【図３】
0003669211.tif 000004
【図４】
0003669211.tif 000005
【図５】
0003669211.tif 000006
【図６】
0003669211.tif 000007
【図７】
0003669211.tif 000008
【図８】
0003669211.tif 000009